(57)【要約】【課題】一対のケース部材の間に中間ケース部材を介在させる空調ケースにおいて、ケース部材と中間ケース部材との双方に跨って開口縁部がもうけられる開口部から所望の風量の空調風を吹出し可能とする。【解決手段】フェイス開口部４を、車室内の中央側から乗員の上半身に向けて空調風を吹き出すためのセンタフェイス開口部４１、および車室内の左右両側から乗員の上半身に向けて空調風を吹き出すためのサイドフェイス開口部４２に分割する仕切り部材１４を有し、サイドフェイス開口部４２の開口縁部は、一対のケース部材１１、１２および中間ケース部材１３、１３´に跨って形成されており、仕切り部材１４は、中間ケース部材１３に設けられている。【選択図】図１
2011207278.tif 000002
【特許請求の範囲】
【請求項１】
一対のケース部材（１１、１２）の間に中間ケース部材（１３、１３´）を介在させることによって形成され、車室内へ吹き出す空調風が流れる空気通路を形成すると共に、少なくとも前記車室内の乗員の上半身に向けて空調風を吹き出すためのフェイス開口部（４）が設けられた空調ケースであって、
前記フェイス開口部（４）を、前記車室内の中央側から乗員の上半身に向けて空調風を吹き出すためのセンタフェイス開口部（４１）、および前記車室内の左右両側から乗員の上半身に向けて空調風を吹き出すためのサイドフェイス開口部（４２）に分割する仕切り部材（１４）を有し、
前記サイドフェイス開口部（４２）の開口縁部は、前記ケース部材（１１、１２）および前記中間ケース部材（１３、１３´）に跨って形成されており、
前記仕切り部材（１４）は、前記中間ケース部材（１３）に設けられていることを特徴とする空調ケース。
【請求項２】
前記一対のケース部材（１１、１２）の間隔幅を予め定めた基準幅とするための基準中間ケース部材（１３´）における前記センタフェイス開口部（４１´）から吹き出される空調風と前記サイドフェイス開口部（４２´）から吹き出される空調風との風量割合を基準風量割合としたときに、
前記間隔幅を前記基準幅と異なる伸縮幅とするための伸縮用中間ケース部材（１３）に設けられる前記仕切り部材（１４）は、前記伸縮用中間ケース部材（１３）を介在させたときにおける前記風量割合が前記基準風量割合と同等となるように設けられていることを特徴とする請求項１に記載の空調ケース。
【請求項３】
前記基準中間ケース部材（１３´）を介在させたときにおける前記センタフェイス開口部（４１）の開口面積と前記サイドフェイス開口部（４２）の開口面積との面積比を基準面積比としたときに、
前記伸縮用中間ケース部材（１３）に設けられる前記仕切り部材（１４）は、前記伸縮用中間ケース部材（１３）を介在させたときにおける前記面積比が基準面積比と同等となるように設けられていることを特徴とする請求項２に記載の空調ケース。
【発明の詳細な説明】
【技術分野】
【０００１】
本発明は、車室内に吹き出す空調風の空気通路を形成する空調ケースに関する。
【背景技術】
【０００２】
従来、車室内に吹き出す空調風の空気通路を形成する車両用の空調ケースが知られている。この種の空調ケースは、軽自動車や普通自動車のような車格の相違や、内部に収容される空調装置構成機器の体格の相違等に応じて、種々の外形寸法のものが存在する。
【０００３】
これに対して、一対のケース部材の間に中間ケース部材を介在させることによって形成された空調ケースが提案されている（例えば、特許文献１）。この特許文献１では、必要に応じて一対のケース部材の間に中間ケース部材を介在させることによって、一対のケース部材間の距離（間隔幅）を伸縮させて、種々の外形寸法の空調ケースを形成できるようにしている。
【０００４】
これによって、特許文献１の空調ケースでは、車格の相違や空調装置の構成機器の体格の相違等に応じて、空調ケースの外形寸法を変化させても、一対のケース部材を共用可能として、空調ケース全体としての低コスト化を図っている。
【先行技術文献】
【特許文献】
【０００５】
【特許文献１】特開２００２−２７４１５２号公報
【発明の概要】
【発明が解決しようとする課題】
【０００６】
ところで、この種の空調ケースには、乗員の上半身に向かって空調風を吹き出すためのフェイス開口部、乗員の脚部に向かって空調風を吹き出すためのフット開口部、後席側に向かって空調風を吹き出すためのリアフット開口部等の複数の開口部が形成されている。そして、これらの開口部には、それぞれの開口部から吹き出される空調風の風量割合が、車室内空調に適切な風量割合となるように開口面積等が設定されている。
【０００７】
例えば、フェイス開口部が、車室内前方のダッシュボードの中央側から空調風を吹き出すためのセンタフェイス開口部と、ダッシュボードの左右両側から空調風を吹き出すためのサイドフェイス開口部とに、仕切り部材を介して分割されている空調ケースでは、これら開口部から吹き出す空調風の風量割合が車室内空調に適切な風量割合となるように仕切り部材の位置が設定される。
【０００８】
しかし、特許文献１の如く、一対のケース部材の間に中間ケース部材を介在させることによって、種々の外形寸法の空調ケースを形成可能とした構成において、ケース部材と中間ケース部材との双方に跨って開口する開口部が存在すると、寸法の異なる中間ケース部材を用いて空調ケースを形成した際に、この開口部の開口面積が変化してしまうことがある。
【０００９】
例えば、サイドフェイス開口部の開口縁部が、ケース部材と中間ケース部材に跨って形成されると共に、仕切り部材にてセンタフェイス開口部とサイドフェイス開口部とに分割された空調ケースでは、中間ケース部材の変更等に伴って、センタフェイス開口部の開口面積とサイドフェイス開口部の開口面積との面積比が変化してしまう。
【００１０】
このようなセンタフェイス開口部の開口面積とサイドフェイス開口部の開口面積との面積比の変化は、センタフェイス開口部から吹き出される空調風とサイドフェイス開口部から吹き出される空調風との風量割合の変化を招き、適切な車室内空調の妨げとなる。
【００１１】
本発明は上記点に鑑みて、一対のケース部材の間に中間ケース部材を介在させる空調ケースにおいて、ケース部材と中間ケース部材との双方に跨って開口縁部が設けられる開口部から所望の風量の空調風を吹出し可能とすることを目的とする。
【課題を解決するための手段】
【００１２】
上記目的を達成するため、請求項１に記載の発明では、一対のケース部材（１１、１２）の間に中間ケース部材（１３、１３´）を介在させることによって形成され、車室内へ吹き出す空調風が流れる空気通路を形成すると共に、少なくとも車室内の乗員の上半身に向けて空調風を吹き出すためのフェイス開口部（４）が設けられた空調ケースであって、フェイス開口部（４）を、車室内の中央側から乗員の上半身に向けて空調風を吹き出すためのセンタフェイス開口部（４１）および車室内の左右両側から乗員の上半身に向けて空調風を吹き出すためのサイドフェイス開口部（４２）に分割する仕切り部材（１４）を有し、サイドフェイス開口部（４２）の開口縁部は、ケース部材（１１、１２）および中間ケース部材（１３、１３´）に跨って形成されており、仕切り部材（１４）は、中間ケース部材（１３）に設けられていることを特徴とする。
【００１３】
これによれば、センタフェイス開口部（４１）とサイドフェイス開口部（４２）とを仕切る仕切り部材（１４）を中間ケース部材（１３）に設ける構成としているので、中間ケース部材（１３）の仕切り部材（１４）の設定位置を変更することで、一対のケース部材（１１、１２）の形状を変更することなく、各開口部（４１、４２）から所望の風量の空調風を吹き出すことが可能となる。
【００１４】
また、請求項２に記載の発明では、請求項１に記載の空調ケースにおいて、一対のケース部材（１１、１２）の間隔幅を予め定めた基準幅とするための基準中間ケース部材（１３´）におけるセンタフェイス開口部（４１´）から吹き出される空調風とサイドフェイス開口部（４２´）から吹き出される空調風との風量割合を基準風量割合としたときに、間隔幅を基準幅と異なる伸縮幅とするための伸縮用中間ケース部材（１３）に設けられる仕切り部材（１４）は、伸縮用中間ケース部材（１３）を介在させたときにおける風量割合が基準風量割合と同等となるように設けられていることを特徴とする。
【００１５】
これによれば、基準中間ケース部材（１３´）および伸縮用中間ケース部材（１３）のうちいずれの中間ケース部材（１３）を一対のケース部材（１１、１２）の間に介在させた場合であっても、センタフェイス開口部（４１）およびサイドフェイス開口部（４２）から吹き出す空調風の風量割合を同等とすることができる。
【００１６】
なお、本発明における「同等」とは、完全に同一となっていることのみを意味するものではなく、製造誤差、組付誤差によって微小に異なるものも「同等」という用語の範囲内に含むものとする。
【００１７】
また、センタフェイス開口部（４１）およびサイドフェイス開口部（４２）から吹き出す空調風の「風量割合」としては、センタフェイス開口部（４１）およびサイドフェイス開口部（４２）それぞれから吹き出される総風量の比を採用することができる。
【００１８】
具体的には、請求項３に記載の発明の如く、請求項２に記載の空調ケースにおいて、基準中間ケース部材（１３´）を介在させたときにおけるセンタフェイス開口部（４１）の開口面積とサイドフェイス開口部（４２）の開口面積との面積比を基準面積比としたときに、伸縮用中間ケース部材（１３）に設けられる仕切り部材（１４）を、伸縮用中間ケース部材（１３）を介在させたときにおける面積比が基準面積比と同等となるように設ける構成としてもよい。
【００１９】
なお、この欄および特許請求の範囲で記載した各手段の括弧内の符号は、後述する実施形態に記載の具体的手段との対応関係を示すものである。
【図面の簡単な説明】
【００２０】
【図１】第１実施形態の空調ケースの外観を示す斜視図である。
【図２】第１実施形態の空調ケースを各ケース部材に分割した状態を示す斜視図である。
【図３】第１実施形態の比較例となる空調ケースの外観を示す斜視図である。
【図４】（ａ）は第１実施形態のフェイス開口部を示す平面図であり、（ｂ）は第１実施形態の比較例のフェイス開口部を示す平面図である。
【図５】第２実施形態の空調ケースの外観を示す斜視図である。
【発明を実施するための形態】
【００２１】
以下、本発明の実施形態について図に基づいて説明する。なお、以下の各実施形態相互において、互いに同一もしくは均等である部分には、図中、同一符号を付してある。
【００２２】
（第１実施形態）
本発明の第１実施形態について図１〜図４に基づいて説明する。図１は、車両用空調装置の空調ケース１の外観を示す斜視図であり、図２は、空調ケース１を各ケース部材１１〜１３に分割した状態を示す斜視図である。また、図３は、本実施形態の比較例となる空調ケース１´の外観を示す斜視図である。なお、図１における矢印は、空調ケース１を車両に搭載した状態での車両前後方向、車両左右方向、車両上下方向を示している。
なお、図２では、図１に対して同一もしくは均等部分には同一の符号を付している。
【００２３】
車両用空調装置は、大別して空調ユニットと図示しない送風ユニットとの二つのユニットに分かれている。送風ユニットは、車室内の計器盤の内側における中央部から助手席側にオフセットして配置されている。これに対して、空調ユニットは、車室内の計器盤の内側における左右方向の略中央部に配置されている。
【００２４】
送風ユニットは、周知の如く、その外殻を形成するブロワケース、内気（車室内空気）と外気（車室外空気）とを切替導入する内外気切替箱、内外気切替箱から導入された空気を送風する送風機等から構成されている。なお、送風機は、周知の遠心多翼ファンを電動モータにて回転駆動させて空気を送風するものである。
【００２５】
空調ユニットは、図１に示すように、その外殻を形成すると共に、送風ユニットの送風機から送風された空気を車室内に向かって吹き出す空調風の空気通路を形成する空調ケース１を有して構成されている。空調ケース１は、ある程度の弾性を有し、強度的にも優れた樹脂（例えば、ポリプロピレン）にて成形されている。
【００２６】
本実施形態の空調ケース１は、車両左右方向の両側壁を構成する一対のケース部材１１、１２、および一対のケース部材１１、１２の間に介在される中間ケース部材１３にて形成されている。すなわち、本実施形態の空調ケース１は、その中央部から所定間隔離れた位置に上下方向に延びる２つの分割面を有している。このため、空調ケース１は、図２に示すように、２つの分割面で一対のケース部材１１、１２および中間ケース部材１３に分割することができる。なお、一対の中間ケース部材１３における一対のケース部材１１、１２に当接する部位は、一対のケース部材１１、１２の双方の分割面の形状に対応する形状に形成されている。
【００２７】
一対のケース部材１１、１２および中間ケース部材１３は、その内部に空調ユニットを構成する各種構成機器を収容した状態で、金属バネ、クリップ、ネジ等の締結手段（図示略）によって結合されている。なお、図２では図示していないが、各ケース部材１１〜１３の内部には、空調ユニットを構成する各種構成機器を支持固定するための取付部が設けられている。
【００２８】
本実施形態の中間ケース部材１３は、車格の相違や空調ケース１に内蔵する各種構成機器の体格の相違に応じて一対のケース部材１１、１２の間隔幅を調整するための部材である。つまり、空調ケース１は、一対のケース部材１１、１２の分割面に外形寸法の異なる中間ケース部材１３を選択的に介在させることで、車格の相違や内蔵する各種構成機器の体格の相違に応じて、空調ケース１の体格を適宜調整することが可能となっている。
【００２９】
本実施形態では、図３に示す一対のケース部材１１、１２の間隔幅（一対のケース部材１１、１２間の距離）を基準幅Ｌ２とするための基準中間ケース部材１３´、および図１に示す一対のケース部材１１、１２の間隔幅を基準幅Ｌ２よりも短い伸縮幅Ｌ１とするための伸縮用中間ケース部材１３のうち、伸縮用中間ケース部材１３を適用して空調ケース１を構成している。本実施形態では、基準中間ケース部材１３´を適用した空調ケース１´については比較例として説明する。なお、説明の便宜のため、図１に示す伸縮用中間ケース部材１３を用いた空調ケース１を伸縮ケース１と称し、図３に示す基準中間ケース部材１３´を用いた空調ケース１を基準ケース１´と称することがある。
【００３０】
ここで、伸縮ケース１および基準ケース１´は、一対のケース部材１１、１２の間に介在させる中間ケース部材の車両左右方向の幅寸法や形状が異なるだけで、一対のケース部材１１、１２の形状等については同等としている。
【００３１】
このため、伸縮ケース１は、基準ケース１´に対して、一対のケース部材１１、１２の形状を変更することなく、一対のケース部材１１、１２の間隔幅が小さくなるので、空調ケース１における左右方向の幅寸法が小さくなる。
【００３２】
従って、基準ケース１´の搭載スペースを確保することが困難な車両や要求される空調能力が基準より低く設定された車両に対して、伸縮ケース１を適用することで、一対のケース部材１１、１２の共用化を図ることができる。
【００３３】
続いて空調ケース１の内部の構成等について説明すると、空調ケース１の内部における空気流れ上流側には、車室内に送風する空気を冷却する冷却用熱交換器である蒸発器（図示略）が配置されている。この蒸発器は、図示しない周知の蒸気圧縮式の冷凍サイクルを構成する構成要素の一つであり、その内部に流入した低圧冷媒を蒸発させて吸熱作用を発揮させることで、送風機からの送風空気を冷却する冷却機能を発揮するものである。
【００３４】
そして、蒸発器の空気流れ下流側には、ヒータコア（図示略）が配置されている。このヒータコアは、エンジン冷却水を熱源として、蒸発器通過後の空気を再加熱する加熱用熱交換器である。蒸発器およびヒータコアは、空調ケース１に設けられた取付部（図示略）にて空調ケース１の内部に支持固定される。
【００３５】
蒸発器の空気流れ下流側であって、かつ、空調ケース１内のヒータコアの側方には、蒸発器通過後の空気をヒータコアを迂回して流すためのバイパス通路（図示略）が形成されている。
【００３６】
また、蒸発器とヒータコアとの間には、エアミックスドア（図示略）が配置されている。エアミックスドアは、サーボモータ（図示略）或いはマニュアル操作によって開度調整されることによって、蒸発器通過後の空気のうちヒータコアを通過する空気量とバイパス通路を連通する空気量との風量割合を調整するものである。
【００３７】
そして、空調ユニットは、送風機から空調ケース１内に導入された空気を蒸発器、ヒータコア、エアミックスドア等によって乗員の所望の温度に調整するようになっている。なお、空調ケース１の内部には、伸縮ケース１と基準ケース１´とで同様の構成が配置される。
【００３８】
また、空調ケース１には、送風機からの送風空気を内部に導入する導入口２が形成されている。この導入口２は、助手席側に配置された送風ユニットの空気出口部に接続するために空調ケースのうち助手席側の側壁面に開口している。
【００３９】
また、空調ケース１には、その上面部に車両前方側の部位に開口するデフロスタ開口部３、上面部におけるデフロスタ開口部３よりも車両後方側の部位に開口するフェイス開口部４、車両左右方向の側面側の部位に開口するフット開口部５等の複数の開口部が形成されている。なお、フェイス開口部４の詳細については後述する。
【００４０】
デフロスタ開口部３は、車両前面窓ガラスの内面に向けて温度調整された空調風を吹き出すための図示しないデフロスタ吹出口にダクトを介して接続されている。フェイス開口部４は、車室内の計器盤の略中央部に設けられたセンタフェイス吹出口（図示略）と、計器盤の左右両側に設けられたサイドフェイス吹出口（図示略）の双方にダクトを介して接続されている。また、フット開口部５は、乗員の足元部に配置されるフット吹出口にダクトを介して接続されている。
【００４１】
また、これら開口部３〜５の空気流れ上流側には、それぞれ図示しないデフロスタドア、フェイスドア、およびフットドアが回転自在に配置され、これらのドアは、図示しないリンク機構を介して共通のサーボモータ或いはマニュアル操作によって開閉操作される。
【００４２】
次に、本実施形態のフェイス開口部４について図４に基づいて説明する。図４の（ａ）は、伸縮ケース１のフェイス開口部４の平面図であり、（ｂ）は基準ケース１´のフェイス開口部４´の平面図である。
【００４３】
図４に示すように、フェイス開口部４、４´全体は、長方形状で開口しており、一対のケース部材１１、１２、および中間ケース部材１３、１３´に跨って開口している。さらに、フェイス開口部４、４´は、センタフェイス吹出口（図示略）に接続されるセンタフェイス開口部４１、４１´と、左右両側のサイドフェイス吹出口（図示略）に接続される一対のサイドフェイス開口部４２、４２´とに板状の仕切り部材１４、１４´を介して分割されている。
【００４４】
センタフェイス開口部４１、４１´および一対のサイドフェイス開口部４２、４２´は、四角形状に開口しており、仕切り部材１４、１４´の長手方向（車両前後方向）の長さが同等の長さとされている。一方、仕切り部材１４、１４´の長手方向に直行する方向（車両左右方向）の長さは、サイドフェイス開口部４２、４２´よりもセンタフェイス開口部４１、４２´が長くなっている。
【００４５】
センタフェイス開口部４１、４１´と一対のサイドフェイス開口部４２、４２´とは、車両の左右方向に並んで設けられており、一対のサイドフェイス開口部４２、４２´がセンタフェイス開口部４１、４１´を左右両側から挟み込むように隣接して設けられている。
【００４６】
ここで、本実施形態の如く、一対のケース部材１１、１２の間隔幅を伸縮幅Ｌ１とした伸縮ケース１では、基準ケース１´に対して一対のケース部材１１、１２の間隔幅が短くなるので、センタフェイス開口部４１から吹き出される空調風とサイドフェイス開口部４２から吹き出される空調風と風量割合が変化してしまう場合がある。
【００４７】
そこで、本実施形態では、センタフェイス開口部４１とサイドフェイス開口部４２との間を仕切る仕切り部材１４を、一対のケース部材１１、１２ではなく、車種等に応じて形状が変更される中間ケース部材１３に設ける構成としている。
【００４８】
このため、センタフェイス開口部４１は、中間ケース部材１３の外壁と仕切り部材１４とで囲まれ、サイドフェイス開口部４２は、中間ケース部材１３、一対のケース部材１１、１２の外壁、仕切り部材１４で囲まれる構成としている。すなわち、センタフェイス開口部４１の開口縁部は、その全周が中間ケース部材１３に形成され、各サイドフェイス開口部４２の開口縁部は、各ケース部材１１、１２と中間ケース部材１３とに跨って形成されている。
【００４９】
さらに、伸縮ケース１における仕切り部材１４の位置は、各フェイス開口部４１、４２から吹き出す空調風の風量割合が、基準中間ケース部材１３´を採用した際の風量割合と同等となるように設定している。換言すれば、基準中間ケース部材１３´を用いた基準ケース１´におけるセンタフェイス開口部４１´から吹き出される空調風とサイドフェイス開口部４２´から吹き出される空調風との風量割合を基準風量割合としたときに、伸縮用中間ケース部材１３を用いた伸縮ケース１における風量割合が基準風量割合と同等となるように仕切り部材１４の位置が設定されている。
【００５０】
具体的には、伸縮ケース１の仕切り部材１４の位置は、各フェイス開口部４１、４２の開口面積の比率が、基準ケース１´を採用した際の開口面積の比率と同等となるように設定している。換言すれば、基準中間ケース部材１３´を用いた基準ケース１´におけるセンタフェイス開口部４１´の開口面積とサイドフェイス開口部４２´の開口面積との面積比を基準面積比としたときに、伸縮用中間ケース部材１３を用いた伸縮ケース１における面積比が基準面積比と同等となるように仕切り部材１４の位置が設定されている。
【００５１】
なお、センタフェイス開口部４１およびサイドフェイス開口部４２の開口面積の比率は、例えば、サイドフェイス開口部４２の開口面積Ｂに対してセンタフェイス開口部４１の開口面積Ａを２倍となるように設定される（開口面積Ａ：開口面積Ｂ＝２：１）。
【００５２】
次に、上記構成における本実施形態の空調ユニットの作動について説明する。図示しない車両走行用エンジンの作動状態において、車両用空調装置を作動させると空調制御装置（図示略）から出力される制御信号によって、送風機が回転駆動され、エアミックスドアの開度が調整され、各開口部３〜５上流側の各ドアが開閉操作され、さらに、上述の冷凍サイクルが作動状態となる。
【００５３】
送風機から送風された送風空気は、蒸発器、ヒータコア、エアミックスドアにて所望の温度に調整された空調風となる。そして、温度調整された空調風が、ドアの開閉状態に応じて各開口部３〜５へ流れ、各吹出口から車室内に吹き出されることによって、車室内の空調がなされる。なお、空調ユニットの作動については、比較例である基準ケース１´を備える空調ユニットでも同様である。
【００５４】
ここで、本実施形態の空調ユニットでは、伸縮ケース１におけるセンタフェイス開口部４１とサイドフェイス開口部４２との開口面積の比率を、基準ケース１´における開口面積の比率と同等としているので、各フェイス開口部４１、４２の風量割合を基準ケース１´における各フェイス開口部４１´、４２´の風量割合（基準風量割合）を同等とすることができる。
【００５５】
以上説明した本実施形態の構成によれば、一対のケース部材１１、１２の間に、伸縮用中間ケース部材１３を介在させることで、一対のケース部材１１、１２の形状を変更することなく、一対のケース部材１１、１２の間隔幅を伸縮させることができる。
【００５６】
これにより、基準ケース１´の搭載スペースを確保することが困難な車両や要求される空調能力が基準より低い設定とされた車両に対して、伸縮ケース１を適用することで、一対のケース部材１１、１２を異なる車種にて共用することが可能となる。
【００５７】
さらに、本実施形態では、センタフェイス開口部４１とサイドフェイス開口部４２とを仕切る仕切り部材１４を中間ケース部材１３に設けているので、中間ケース部材１３の仕切り部材１４の設定位置を変更することで、一対のケース部材１１、１４の形状を変更することなく、センタフェイス開口部４１およびサイドフェイス開口部４２から吹き出す空調風の風量割合を適切に設定することができる。
【００５８】
さらに、本実施形態では、伸縮ケース１におけるセンタフェイス開口部４１とサイドフェイス開口部４２との開口面積の比率を、基準ケース１´における開口面積の比率と同等としているので、各ケース１、１´における各フェイス開口部４１、４２の風量割合を同等とすることができる。
【００５９】
従って一対のケース部材１１、１２の間に中間ケース部材１３を介在させる空調ケースにおいて、センタフェイス開口部４１およびサイドフェイス開口部４２から所望の風量の空調風を吹き出すことが可能となる。
【００６０】
なお、本実施形態では、基準ケース１´を伸縮ケース１の比較例としているが、基準ケース１´についても、基準中間ケース部材１３´に各フェイス開口部４１´、４２´の間を仕切る仕切り部材１４´を設ける構成としているので、空調ユニットに伸縮ケース１を用いた場合と同様に、センタフェイス開口部４１´およびサイドフェイス開口部４２´に所望の空調風の風量割合を適切に設定することが可能となっている。
【００６１】
（第２実施形態）
次に、本発明の第２実施形態について図５に基づいて説明する。上記第１実施形態と同様または均等な部分について同一の符号を付し、その説明を省略する。ここで、図５は、第２実施形態の空調ケース１の外観を示す斜視図である。
【００６２】
本実施形態では、第１実施形態の空調ケース１に対して、空調ケース１の車両後方側の下方部位に開口する後席用開口部６を追加している点が相違している。
【００６３】
後席用開口部６は、車両後席の乗員に向けて温度調整された空調風を吹き出すための図示しないリア吹出口にダクトを介して接続されている。なお、リア吹出口は、後席側の乗員の上半身および下半身の少なくとも一方に向けて吹き出すための吹出口とすることができる。
【００６４】
そして、後席用開口部６の空気流れ上流側には、図示しないリアドアが回転自在に配置され、リンク機構を介してフェイスドア等と共通のサーボモータ或いはマニュアル操作によって開閉操作される。
【００６５】
ここで、後席用開口部６の開口縁部が、空調ケース１における一対のケース部材１１、１２および中間ケース部材１３の双方に跨って形成されていると、寸法の異なる中間ケース部材１３を用いて空調ケース１を形成した際に、開口面積が変化してしまう。
【００６６】
このような後席用開口部６の開口面積の変化は、他の開口部との面積比率を変化させてしまうので、後席用開口部６から吹き出される空調風と他の開口部から吹き出される空調風との風量割合の変化を招き、後席用開口部６から吹き出す空調風の風量を所望の風量とすることができなくなってしまう虞がある。
【００６７】
そこで、本実施形態では、後席用開口部６を、空調ケース１における一対のケース部材１１、１２および中間ケース部材１３に跨って形成するのではなく、車種等に応じて形状が変更される中間ケース部材１３のみに設ける構成としている。換言すれば、本実施形態の後席用開口部６は、その開口縁部の全周が中間ケース部材１３に形成される構成としている。
【００６８】
これによれば、一対のケース部材１１、１２の形状を変更することなく、中間ケース部材１３に設けた後席用開口部６の開口面積や開口形状等を設定することができるので、後席用開口部６から吹き出される空調風と他の開口部から吹き出される空調風との風量割合の変化を抑制することが可能となる。
【００６９】
従って、一対のケース部材１１、１２の間に中間ケース部材１３を介在させる空調ケースにおいて、センタフェイス開口部４１およびサイドフェイス開口部４２に所望の空調風の風量割合を適切に設定しつつ、後席用開口部６から吹き出す空調風の風量を所望の風量に設定することが可能となる。
【００７０】
（他の実施形態）
以上、本発明の実施形態について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。例えば、以下のように種々変形可能である。
【００７１】
（１）上記各実施形態では、一対のケース部材１１、１２との間隔を基準幅よりも短い伸縮幅とする伸縮用中間ケース部材１３を用いて構成した伸縮ケース１について説明したが、一対のケース部材１１、１２との間隔を基準幅よりも長い伸縮幅とする伸縮用中間ケース部材１３を用いて伸縮ケース１を構成してもよい。
【００７２】
これによれば、空調ケース１の搭載スペースに余裕があり、要求される空調能力が基準より高い設定とされた車両に対して、一対のケース部材１１、１２との間隔を基準幅よりも長い伸縮幅とする伸縮用中間ケース部材１３を適用した伸縮ケース１を用いれば、一対のケース部材１１、１２の形状を変更する必要がなくなるので、空調ケースの低コスト化を図ることができる。
【００７３】
（２）上記各実施形態では、一対のケース部材１１、１２および中間ケース部材１３といった３つのケース部材にて空調ケース１を構成しているが、これに限定されず、一対のケース部材１１、１２および中間ケース部材１３に加えて他のケース部材を付加し、４つ以上のケース部材にて空調ケース１を構成してもよい。
【００７４】
（３）上記各実施形態では、センタフェイス開口部４１およびサイドフェイス開口部４２の開口形状を四角形状とし、車両左右方向に並ぶように設ける構成としているが、これに限定されるものではない。各フェイス開口部４１、４２は、仕切り部材１４が中間ケース部材１３に設けられている構成であれば、他の開口形状としたり、サイドフェイス開口部４２の開口位置をセンタフェイス開口部４１の開口位置に対して車両前後方向にずれた位置としたりしてもよい。
【００７５】
（４）上記各実施形態の伸縮ケース１では、センタフェイス開口部４１およびサイドフェイス開口部４２の開口面積の比率を、基準ケース１´における開口面積の比率と同適度としているが、これに限定されない。例えば、伸縮ケース１および基準ケース１´における各フェイス開口部４１、４２の開口面積の比率を同等としたとしても、空調ケース１内部の通風抵抗の変化等によって各フェイス開口部４１、４２から吹き出す空調風の風量割合が同等ならないような場合には、中間ケース部材１３の仕切り部材１４の設定位置を適宜調整してもよい。
【００７６】
（５）上記第２実施形態では、後席用開口部６を中間ケース部材にのみ設ける構成としているが、これに限定されない。例えば、車室内の前席側の乗員の大腿部付近に向けて空調風を吹き出すための吹出部（例えば、センタコンソールに設けられたコンソール吹出部）に接続される開口部が空調ケース１に形成されている場合には、当該開口部を中間ケース部材にのみ設ける構成としてもよい。
【００７７】
（６）上記第２実施形態では、後席用開口部６を中間ケース部材１３の下方側の部位に開口するようにしているが、これに限定されない。後席用開口部６は、中間ケース部材１３に設ける構成であれば、中間ケース部材１３の下方側の部位に限らず、任意の部位に設けることができる。
【００７８】
（７）上記各実施形態では、車両左右方向の中央部に空調ユニットを配置し、車両左右方向の助手席側に送風ユニットをオフセット配置した車両用空調装置における空調ユニットに本発明の空調ケース１を適用した例について説明したが、これに限定されない。例えば、車両左右方向の中央部に空調ユニットおよび送風ユニットを配置した車両用空調装置における空調ユニットに本発明の空調ケース１を適用してもよい。また、空調ユニットのケースと送風ユニットのブロワケースとが一体化された空調ケースに、本発明を適用してもよい。
【符号の説明】
【００７９】
１      空調ケース（伸縮ケース）
１´    空調ケース（基準ケース）
１１    ケース部材（一対のケース部材の一方）
１２    ケース部材（一対のケース部材の他方）
１３    中間ケース部材（伸縮用中間ケース部材、
１３´  中間ケース部材（基準ケース部材）
１４    仕切り部材
４      フェイス開口部
４１    センタフェイス開口部
４２    サイドフェイス開口部
【図１】
2011207278.tif 000003
【図２】
2011207278.tif 000004
【図３】
2011207278.tif 000005
【図４】
2011207278.tif 000006
【図５】
2011207278.tif 000007